(57)【特許請求の範囲】
【請求項１】
基台と、蓋体とから成り、
建物の外壁面の同一直線上に設置される二本の直状保護カバーを接続して、該カバー内に収容保護されるエアコン冷媒管の一部を壁内側に分岐配管させる分岐部保護カバーであって、
前記基台には、壁貫通孔が形成された前記外壁面に当接される底板部に、前記壁貫通孔から引き出されたエアコン冷媒管を挿通可能とする管挿通孔が形成されてなり、
前記管挿通孔は、該管挿通孔から前記壁貫通孔を壁表に臨ませた状態で前記直状保護カバーとの接続位置を前記直線方向に沿って選択可能とすべく、前記直線方向に沿って前記壁貫通孔の内径よりも長く延びる長孔状になっており、
前記基台を外壁面に設置した状態で、前記基台の底板部における前記壁貫通孔の外壁面側に嵌め込まれる鍔付リングの鍔部が配置される部分には、前記鍔部との干渉を回避すべく欠落されて、前記管挿通孔に接続する空間部が直線方向に沿って形成されていることを特徴とするエアコン冷媒管の分岐部保護カバー。
【請求項２】
前記基台における前記直線方向に沿った端部には、前記直状保護カバーに内嵌される位置決め突片が形成され、外壁面に取付けた状態で、該外壁面と前記位置決め突片との間には、前記直状保護カバーの基台が挿入可能な空間部が形成されていることを特徴とする請求項１に記載のエアコン冷媒管の分岐部保護カバー。
【請求項３】
前記位置決め突片は、基台におけるエアコン冷媒管の配管方向に沿った両端部に形成されて、その少なくとも一方は、複数サイズの直状保護カバーに対応可能とすべく前記配管方向に沿って先細り階段状に形成されて、蓋体の接続部には、直状保護カバーのサイズ差を吸収するソケットカバーが取付可能な取付部が形成されていることを特徴とする請求項２に記載のエアコン冷媒管の分岐部保護カバー。
【請求項４】
請求項１に記載の分岐部保護カバーと、
室内側からエアコン冷媒管を引き出すために、前記外壁面に形成された壁貫通孔の外壁面側に嵌め込まれる鍔付リングとから成ることを特徴とする分岐部保護カバー装置。
【発明の詳細な説明】
【０００１】
【発明の属する技術分野】
本発明は、建物の壁面に沿って直線的に取付けられる二本の直状保護カバーを接続して、該カバー内に収容保護されるエアコン冷媒管の一部を壁内側に分岐配管させるエアコン冷媒管の分岐部保護カバー、及び分岐部保護カバー装置に関するものである。
【０００２】
【従来の技術】
上記した分岐部保護カバーは、例えば、建物の一階と二階との間にエアコン冷媒管（以下、単に「冷媒管」と略す場合もある）を通し配管して、その途中において、冷媒管の一部を壁内側に分岐配管させる場合等に使用される。従来の分岐部保護カバーとしては、実開平５−４０６９５号公報に開示されているものが知られている。
【０００３】
上記公報に開示の分岐部保護カバーは、基台と蓋体とから成って、両端部に直状保護カバーの端部を接続可能な接続部が設けられて、直状保護カバーどうしの接続を可能にしていると共に、前記基台に管挿通孔が設けられていて、該管挿通孔から冷媒管を内部に引込み可能にしてあり、上下の各部屋に設置されたエアコンの各冷媒管を、各部屋に形成された壁貫通孔から引き出して、各冷媒管を、建物の外壁面の同一直線上に設置された直状保護カバー内に収容可能にしてある。
【０００４】
しかし、従来の分岐部保護カバーにおいては、基台に形成された前記管挿通孔は、壁に形成された壁貫通孔とほぼ同じ大きさと形状になっている（多くの場合は、ほぼ同一内径の円形孔）ため、分岐部保護カバーを外壁面に設置する際に、自身の管挿通孔と壁貫通孔との位置を合わせて設置しなくてはならず、その位置合わせが非常に面倒であった。
【０００５】
上記位置合わせのために、まず、上階に形成された壁貫通孔を覆う端末保護カバーの基台の固定と、下階に形成された壁貫通孔を覆う上記分岐部保護カバーの基台の固定とを行った後に、上下の各階の壁面に取付けられた端末及び分岐部の各保護カバーの基台間の長さを測定して、この長さに合わせて直状保護カバーを切断して準備しなくてはならず、この長さ合わせの作業は、非常に面倒であった。また、各保護カバーの設置においても、上下の各部屋を何回も移動しなくてはならず、作業性が非常に悪かった。
【０００６】
【発明が解決しようとする課題】
本発明の課題は、壁貫通孔と自身の管挿通孔との正確な位置合わせを行わずに設置可能なエアコン冷媒管の分岐部保護カバー、及び壁貫通孔の外壁面側に嵌め込んだ鍔付リングの鍔部との干渉を避けて配設可能な分岐部保護カバー装置の提供である。
【０００７】
【課題を解決するための手段】
この課題を解決するための請求項１の発明は、基台と、蓋体とから成り、建物の外壁面の同一直線上に設置される二本の直状保護カバーを接続して、該カバー内に収容保護されるエアコン冷媒管の一部を壁内側に分岐配管させる分岐部保護カバーであって、前記基台には、壁貫通孔が形成された前記外壁面に当接される底板部に、前記壁貫通孔から引き出されたエアコン冷媒管を挿通可能とする管挿通孔が形成されてなり、前記管挿通孔は、該管挿通孔から前記壁貫通孔を壁表に臨ませた状態で前記直状保護カバーとの接続位置を前記直線方向に沿って選択可能とすべく、前記直線方向に沿って前記壁貫通孔の内径よりも長く延びる長孔状になっており、前記基台を外壁面に設置した状態で、前記基台の底板部における前記壁貫通孔の外壁面側に嵌め込まれる鍔付リングの鍔部が配置される部分には、前記鍔部との干渉を回避すべく欠落されて、前記管挿通孔に接続する空間部が直線方向に沿って形成されていることを特徴としている。
【０００８】
請求項１の発明によれば、基台に形成された管挿通孔は、建物の外壁面の同一直線上に設置される二本の直状保護カバーの直線方向に沿って前記壁貫通孔の内径よりも長く延びる長孔状になっているために、外壁面に分岐部保護カバーを設置する際に、該外壁面に形成された壁貫通孔に対する前記管挿通孔の前記直線方向（エアコン冷媒管の配管方向）に沿った位置、即ち前記基台の前記直線方向に沿った位置は、所定の許容範囲があるため、両孔の中心位置を正確に位置合わせさせなくても、壁貫通孔に対してエアコン冷媒管を引き出したり、引き入れたりできる。このため、上階と、その下階との間に取付けられる直状保護カバーの長さに関しても、所定の許容範囲があって、該直状保護カバーの切断長が、設定長に対して多少の長短があっても、該直状保護カバーと分岐部保護カバーとの接続が可能となる。即ち、直状保護カバーと分岐部保護カバーとの接続位置が前記許容範囲内で変更されても、外壁面に設けられた壁貫通孔は、分岐部保護カバーの基台の底板部に形成された管挿通孔を通して全体が壁表に臨ませられるので、直状保護カバーと分岐部保護カバーとの接続が可能となる。よって、分岐部保護カバーよりも上階の直状保護カバーの基台を固定した後に、該分岐部保護カバーの基台を固定することが可能となって、上階から下階に向けて全ての配管作業を順次行うことができ、配管作業の能率が高まる。更に、基台を外壁面に設置した状態で、前記基台の底板部における前記壁貫通孔の外壁面側に嵌め込まれる鍔付リングの鍔部が配置される部分には、前記鍔部との干渉を回避すべく欠落されて、前記管挿通孔に接続する空間部が直線方向に沿って形成されているために、壁貫通孔の外壁面側に嵌め込まれる鍔付リングの鍔部との干渉を回避して建物の外壁面に分岐部保護カバーの基台を設置できる。
【０００９】
また、請求項２の発明は、請求項１の発明において、前記基台における前記直線方向に沿った端部には、前記直状保護カバーに内嵌される位置決め突片が形成され、壁面に設置した状態で、該壁面と前記位置決め突片との間には、前記直状保護カバーの基台が挿入可能な空間部が形成されていることを特徴としている。請求項２の発明によれば、分岐部保護カバーよりも上方の直状保護カバーの基台を外壁面に固定した後に、該分岐部保護カバーの基台に形成された位置決め突片を、固定状態の前記直状保護カバーの基台に内嵌することができる。よって、分岐部保護カバーの後設置（後付け）作業を一層容易にできると共に、直状保護カバーは、前記位置決め突片によって、分岐部保護カバーに対して、配管方向と直交する方向に沿った位置決めが行われて、直状及び分岐部の両保護カバーの横方向のずれを防止して、両保護カバーを確実に接続できる。
【００１０】
また、請求項３の発明は、請求項２の発明において、前記位置決め突片は、基台におけるエアコン冷媒管の配管方向に沿った両端部に形成されて、その少なくとも一方は、複数サイズの直状保護カバーに対応可能とすべく前記配管方向に沿って先細り階段状に形成されて、蓋体の接続部には、直状保護カバーのサイズ差を吸収するソケットカバーが取付可能な取付部が形成されていることを特徴としている。請求項３の発明によれば、分岐部保護カバーに対してサイズの異なる複数の直状保護カバーを、配管方向と直交する方向の位置決めを行って接続可能となる。また、分岐部保護カバーと直状保護カバーとを接続する際に、前記分岐部保護カバーに形成された先細り階段状の位置決め突片により、前記配管方向と直交する方向の位置決めを行って、サイズの異なる直状保護カバーを接続すると、各直状保護カバーによって、その接続端（下端）の位置が配管方向に沿って異なることがある。しかし、分岐部保護カバーの基台に形成された管挿通孔は、配管方向に沿って延びているため、サイズの異なる各直状保護カバーの接続端（下端）の前記配管方向に沿った位置ずれは、前記管挿通孔によって吸収されて、サイズの異なる直状保護カバーと分岐部保護カバーとが接続された状態で、分岐部保護カバーの基台の管挿通孔に対してエアコン冷媒管を挿通配管できる。
【００１１】
【００１２】
また、請求項４の発明は、請求項１に記載の分岐部保護カバーと、室内側からエアコン冷媒管を引き出すために、前記外壁面に形成された壁貫通孔の外壁面側に嵌め込まれる鍔付リングとから成る分岐部保護カバー装置とから成ることを特徴としている。請求項４の発明は、請求項１の発明を別の観点から把握したものであって、請求項１の発明と同一の作用効果が奏される。
【００１３】
【発明の実施の形態】
以下、実施例を挙げて、本発明を更に詳細に説明する。図１は、本発明に係る分岐部保護カバーＣ0 を用いてサイズの異なる二本の直状保護カバーＣ1,Ｃ2 を接続した状態の斜視図であり、図２は、分岐部保護カバーＣ0 を構成する基台Ｖ0 と蓋体Ｌ0 とを表面側から見た分解斜視図であり、図３は、同じく裏面側から見た分解斜視図であり、図４は、基台Ｖ0 の横断面図であり、図５は、同じく縦断面図である。
【００１４】
図１に示されるように、建物の一階と二階との室内側には、それぞれエアコンの室内機１が取付けられ、屋外には、エアコンの室外機２が建物の外壁面Ｗａに近接して設置されている。また、建物の外壁面Ｗａには、冷媒管収容空間の異なる大小２本の各直状保護カバーＣ1,Ｃ2 が一直線状となって設置されて、下方の直状保護カバーＣ1 の上端部と、上方の直状保護カバーＣ2 の下端部とは、分岐部保護カバーＣ0 を介して接続され、各直状保護カバーＣ1,Ｃ2 内には、それぞれ所定本数の冷媒管Ｐが配管収容される。建物の一階部分に設置されたサイズの大きな直状保護カバーＣ1 には、二つの室内機１にそれぞれ接続される冷媒管Ｐが収容され、建物の二階部分に取付けられたサイズの小さな直状保護カバーＣ2 には、二階の室内機１のみに接続される半数の冷媒管Ｐが収容される。
【００１５】
また、図９に示されるように、各直状保護カバーＣ1,Ｃ2 は、ビス（図示せず）を介して建物の外壁面Ｗａに密着状態で固定される基台Ｖ1,Ｖ2 と、該基台Ｖ1,Ｖ2 に対して嵌着状態で覆蓋される蓋体Ｌ1,Ｌ2 とから成って、両者で形成される空間部が冷媒管収容空間Ａ1,Ａ2(図１３参照）となっている。なお、図１において、Ｃ11は、二階の室内機１の部分から室外に引き出された冷媒管Ｐを覆って保護する端末保護カバーを示す。
【００１６】
次に、サイズの異なる二本の各直状保護カバーＣ1,Ｃ2 を接続して、その内部に収容されている冷媒管Ｐを分岐配管可能にするための分岐部保護カバーＣ0 について説明する。この分岐部保護カバーＣ0 は、図２ないし図５に示されるように、建物の外壁Ｗに貫設された壁貫通孔３の周囲を取り囲むようにして、その外壁面Ｗａに固定される基台Ｖ0 と、該基台Ｖ0 とで冷媒管収容空間Ａ0(図１３参照）を形成して、これに覆蓋される蓋体Ｌ0 とで構成される。
【００１７】
また、基台Ｖ0 は、底板部１１の幅方向の両端よりも僅かに内側の部分に、高さの低い側板部１２が冷媒管Ｐの配管方向（同一直線上に設置される二本の直状保護カバーＣ1,Ｃ2 の前記直線方向）Ｑに沿って設けられ、前記底板部１１の配管方向Ｑに沿った両端部には、当該部分に接続される直状保護カバーＣ1,Ｃ2 に内嵌される位置決め突片１３，１４がそれぞれ形成されて、固定状態おいて上端となる前記位置決め突片１３は、サイズの異なる複数種類の直状保護カバーに内嵌可能なように先細り階段状となっている。即ち、固定状態おいて上端となる位置決め突片１３は、サイズの異なる３種類の直状保護カバーＣ1 〜Ｃ3 の幅方向の位置決めを行って接続可能になっていて、最大サイズの直状保護カバーＣ1 を接続する部分のみの幅方向の両端には、前記側板部１２と同一高さの突片側板部１５が形成されている。また、固定状態において下端となる位置決め突片１４は、その突出長の全長に亘って、その幅方向の両端に突片側板部１６が形成されている。一対の側板部１２の間隔は、一対の突片側板部１５及び一対の突片側板部１６の間隔よりも僅かに広く形成され、各側板部１２の両端の別の突片側板部１５，１６と接続される部分には、これと直交する方向のリブ１７が設けられている。
【００１８】
また、前記各位置決め突片１３，１４は、その基台Ｖ1,Ｖ2 が外壁面Ｗａに密着した直状保護カバーＣ1,Ｃ2 に内嵌可能にするために、図５に示されるように、基台Ｖ0 を外壁面Ｗａに取付けた状態において、前記各位置決め突片１３，１４と前記外壁面Ｗａとの間には、所定の空間部１８，１９が形成される。このため、底板部１１の配管方向Ｑに沿った両端と前記各位置決め突片１３，１４との間には、段差が形成されて、前記底板部１１の四隅の前記段差に臨む部分は、前記各位置決め突片１３，１４と同一平面となるように部分的に厚肉に形成されて、該厚肉部２１に、前記配管方向Ｑと直交する方向に長くなった長孔状のビス挿通孔２２が形成されている。
【００１９】
また、基台Ｖ0 を構成する前記底板部１１のうち、左右一対の側板部１２と、上下二対の厚肉部２１で囲まれる部分は、配管方向Ｑに沿って長くなった長方形状に切り欠かれて、管挿通孔２３となっている。また、図４及び図５に示されるように、固定状態で縦長となった前記管挿通孔２３の横長は、外壁Ｗに設けられた前記壁貫通孔３の内径よりも僅かに大きくなっていて、その縦長（配管方向Ｑに沿った長さ）は、前記壁貫通孔３の内径よりも遙に長くなっている。
【００２０】
また、建物の外壁Ｗに設けられた貫通孔３の外壁面Ｗａの側には、冷媒管Ｐによる孔周縁部の欠損防止のために鍔付リング４が嵌め込まれることが多い。これに対応可能にするために、図４に示されるように、前記基台Ｖ0 の裏面側には、前記管挿通孔２３の幅方向（配管方向Ｑと直交する方向）の両側に、該管挿通孔２３と接続する空間部２４がそれぞれ設けられて、外壁面Ｗａに基台Ｖ0 を固定した状態において、その底板部１１と前記鍔付リング４の鍔部４ａとが干渉しない構造にしてある。即ち、基台Ｖ0 の底板部１１の幅方向の両端部であって、各側板部１２の外方に位置する部分は、配管方向Ｑに沿って厚肉に形成されて、該厚肉部２５の裏面側に前記空間部２４が同方向に形成されている。
【００２１】
また、裏面側に空間部２４が設けられた前記各厚肉部２５の長手方向（取付状態で上下方向）の中央部には、高さ方向に向けて係合突起体２６が形成され、その内側に係合段差部２７が設けられている。
【００２２】
次に、図２、図３及び図１２を参照して、前記基台Ｖ0 に覆蓋される蓋体Ｌ0 について説明する。この蓋体Ｌ0 は、断面Ｕ字状をしていて、その両側板部３１の開口側の部分には、基台Ｖ0 の前記厚肉部２５に嵌合可能なように嵌合凹部３２が形成されている。また、両側板部３１の長手方向の中央部には、僅かに内側に膨出した膨出部３３が設けられて、該膨出部３３の外側には、蓋体Ｌ0 の外面に対して凹設された凹部３４が設けられて、該凹部３４に、前記基台Ｖ0 の係合段差部２７に係合される係合爪３５が形成されている。また、蓋体Ｌ0 の長手方向の両端部の内側には、当該部分に後述のソケットカバーＳを嵌合させた場合に、該ソケットカバーＳの外側の嵌合突起５と嵌合する複数の嵌合凹部３６が設けられている。
【００２３】
そして、上記した分岐部保護カバーＣ0 を使用して、サイズの異なる二本の直状保護カバーＣ1,Ｃ2 を接続すると共に、該接続部において冷媒管Ｐを分岐配線するには、以下のようにして行う。まず、外壁Ｗの二階部分に設けられた壁貫通孔を覆うようにして、前記端末保護カバーＣ11の基台を外壁面Ｗａに固定した後に、予め設計長に切断された直状保護カバーＣ2 の基台Ｖ2 を、前記端末保護カバーＣ11の基台に接続させて、外壁面Ｗａに固定する。その後に、二階の室内機１から引き出された複数本の冷媒管Ｐを前記直状保護カバーＣ2 の基台Ｖ2 に収容して、前記端末保護カバーＣ11の基台に蓋体を覆蓋させる。図６には、この状態の直状保護カバーＣ2 の下端部が示されており、直状保護カバーＣ2 の下端は、外壁Ｗの一階部分に設けられた壁貫通孔３の直上に臨んでいる。なお、図６ないし図９においては、冷媒管Ｐの表示を略してある。
【００２４】
次に、横方向に沿っては、外壁Ｗの一階部分の壁貫通孔３を覆うことができ、しかも縦方向に沿っては、固定済の直状保護カバーＣ2 の基台Ｖ2 と接続可能な位置を選択して、当該位置に、複数本のビス２８を使用して、分岐部保護カバーＣ0 の基台Ｖ0 を固定する。分岐部保護カバーＣ0 の基台Ｖ0 は、図３に示されるように、その裏面側に設けた空間部２４の存在によって、壁貫通孔３の外側の周縁部に嵌め込まれた鍔付リング４の鍔部４ａと干渉することなく、外壁面Ｗａに固定できる。また、図７、図１１及び図１３に示されるように、前記基台Ｖ0 の上端側に形成された先細り階段状の位置決め突片１３の最先端の位置決め部は、直状保護カバーＣ2 の基台Ｖ2 に内嵌されると共に、該基台Ｖ2 を構成する底板部４１の下端部は、前記基台Ｖ0 の底板部１１と外壁面Ｗａとの間に形成された空間部１８に挿入されて、直状保護カバーＣ2 の基台Ｖ2 は、分岐部保護カバーＣ0 の基台Ｖ0 に対して、その幅方向の位置決めが行われる。
【００２５】
ここで、分岐部保護カバーＣ0 を構成する基台Ｖ0 には、配管方向Ｑに沿って長くなった長方形状の管挿通孔２３が形成されているために、図１１に示されるように、外壁Ｗに設けられた壁貫通孔３の中心Ｍ1 と、その上方に設置される直状保護カバーＣ2 の基台Ｖ2 の下端縁との間の距離Ｂ、換言すれば、直状保護カバーＣ2 の切断長は、一定の許容範囲内であれば、分岐部保護カバーＣ0 の部分において、冷媒管Ｐの分岐配管が可能となる。図１１で示される設置例では、壁貫通孔３の中心Ｍ1 と、分岐部保護カバーＣ0 の基台Ｖ0 に設けられた管挿通孔２３の中心Ｍ2 とは、合致している。
【００２６】
次に、図７及び図８に示されるように、外壁面Ｗａに固定された分岐部保護カバーＣ0 の基台Ｖ0 に対して直状保護カバーＣ1 の基台Ｖ1 を、上記直状保護カバーＣ2 と同様にして接続して、外壁面Ｗａに固定する。即ち、図１１及び図１３の各断面図に示されているように、固定済の分岐部保護カバーＣ0 の基台Ｖ0 の下方の位置決め突片１４と外壁面Ｗａとの間に形成された空間部１９に、直状保護カバーＣ1 の基台Ｖ1 を構成する底板部４２を挿入して、前記位置決め突片１４を前記基台Ｖ1 に内嵌させると、分岐部保護カバーＣ0 の基台Ｖ0 に対して直状保護カバーＣ1 の基台Ｖ1 が配管方向Ｑと直交する方向に沿って位置決めされる。その後に、図１１ないし図１３に示されるように、一階の室内機１から引き出された冷媒管Ｐと、二階部分から垂れ下がっている別の冷媒管Ｐとを、分岐部保護カバーＣ0 の基台Ｖ0 の部分で合流配管させて、一階及び二階の各部分の冷媒管Ｐを束ねて、直状保護カバーＣ1 の基台Ｖ1 に収容させる。
【００２７】
そして、図９に示されるように、二階部分の直状保護カバーＣ2 の基台Ｖ2 に蓋体Ｌ2 を覆蓋した後に、一階部分の直状保護カバーＣ1 の基台Ｖ1 に蓋体Ｌ1 を覆蓋し、最後に、分岐部保護カバーＣ0 の基台Ｖ0 に、その蓋体Ｌ0 とソケットカバーＳとを覆蓋させると、前記ソケットカバーＳにより、上下の各直状保護カバーＣ1,Ｃ2 のサイズ差が吸収されて、図１０に示されるように、冷媒管Ｐの分岐配管部が保護カバーＣ0 で覆われる。
【００２８】
即ち、分岐部保護カバーＣ0 の蓋体Ｌ0 の両側板部３１を内側に弾性変形させた状態で、該蓋体Ｌ0 を基台Ｖ0 に覆蓋させると、蓋体Ｌ0 の嵌合凹部３２に基台Ｖ0 の厚肉部２５が嵌合されると共に、基台Ｖ0 の係合段差部２７と蓋体Ｌ0 の係合爪３５とが係合して、両者Ｖ0,Ｌ0 が一体となる。また、ソケットカバーＳの外周面に設けられた嵌合突起５と、前記蓋体Ｌ0 の接続部の内周面に設けられた嵌合凹部３６とが互いに嵌合して、前記蓋体Ｌ0 とソケットカバーＳとが一体となる。
【００２９】
これにより、二階から一階に向けてほぼ全ての配管作業を順次行うことができて、配管作業の能率が高められる。また、二階部分の壁貫通孔から冷媒管を引き出して、該二階部分の外壁面Ｗａに設置された直状保護カバーＣ2 の基台Ｖ2 に前記冷媒管を収容した後に、直ちに、該基台Ｖ2 に蓋体Ｌ2 を覆蓋させることも可能であって、これにより、全配管作業を二階から一階に向けて順次行うことが可能となる。
【００３０】
また、図１４には、上記とは別の配管例が示されている。この配管例では、二階部分の外壁面Ｗａに設置される直状保護カバーＣ3 は、前記直状保護カバーＣ2 よりも大きくて、直状保護カバーＣ1 よりも小さなものであって、分岐部保護カバーＣ0 の基台Ｖ0 に設けられた位置決め突片１３の中間の位置決め部に位置決めされる大きさになっている。このため、設置状態において、直状保護カバーＣ3 に対する位置決め突片１３の嵌入長は、前記直状保護カバーＣ2 のそれよりも長くなる。
【００３１】
よって、直状保護カバーＣ3 の切断長が、前記直状保護カバーＣ2 のそれと同一である場合には、外壁Ｗに設けられた壁貫通孔３の中心Ｍ1 と、その上方に設置される直状保護カバーＣ3 の基台Ｖ3 の下端縁との間の距離Ｂは同一となって、分岐部保護カバーＣ0 の基台Ｖ0 は、壁貫通孔３に対して、前記位置決め突片１３の嵌入長が長くなった分だけ、上方に設置されることになる。このような場合でも、前記基台Ｖ0 に設けられた管挿通孔２３は、配管方向Ｑに沿って長くなった長方形状をしているために、壁貫通孔３は、管挿通孔２３内に収まって（壁貫通孔３は、管挿通孔２３を通して全体が壁表に臨んで）、分岐部保護カバーＣ0 の部分において冷媒管Ｐを支障なく分岐配管できる。即ち、直状保護カバーＣ3 と分岐部保護カバーＣ0 との接続部は、直状保護カバーＣ2 と分岐部保護カバーＣ0 との接続部よりも所定長だけ上方にずれているが、いずれの状態でも、壁貫通孔３は管挿通孔２３を通して全体が壁表に臨んでいるため、同一の分岐部保護カバーＣ0 を使用して接続可能となる。
【００３２】
また、分岐部保護カバーＣ0 の基台Ｖ0 の上方に設置される直状保護カバーＣ1 〜Ｃ3 の切断長に多少のばらつきがあっても、許容範囲内〔基台Ｖ0 の管挿通孔２３の長手方向の長さをＥとして、壁貫通孔３の内径をＤとした場合には、（Ｅ−Ｄ）〕であれば、分岐部保護カバーＣ0 の部分における分岐配管が可能となる。このため、配管作業が容易となる。
【００３３】
【発明の効果】
本発明に係る分岐部保護カバーは、基台に形成された管挿通孔が、該管挿通孔から前記壁貫通孔を壁表に臨ませた状態で前記直状保護カバーとの接続位置を前記直線方向に沿って選択可能とすべく、同一直線状に設置される二本の直状保護カバーの前記直線方向（エアコン冷媒管の配管方向）に沿って前記壁貫通孔の内径よりも長く延びる長孔状になっている。このため、直状保護カバーと分岐部保護カバーとの接続位置が、エアコン冷媒管の配管方向に沿った許容範囲内で変更されても、外壁面に設けられた壁貫通孔は、分岐部保護カバーの基台の底板部に形成された管挿通孔を通して全体が壁表に臨ませられるので、接続すべき直状保護カバーの長さに多少の長短があっても、直状保護カバーと分岐部保護カバーとの接続が可能となる。また、基台を外壁面に設置した状態で、前記基台の底板部における前記壁貫通孔の外壁面側に嵌め込まれる鍔付リングの鍔部が配置される部分には、前記鍔部との干渉を回避すべく欠落されて、前記管挿通孔に接続する空間部が直線方向に沿って形成されているために、壁貫通孔の外壁面側に嵌め込まれる鍔付リングの鍔部との干渉を回避して建物の外壁面に分岐部保護カバーの基台を設置できる。
【００３４】
このため、分岐部保護カバーよりも上階の直状保護カバーの基台を固定した後に、該分岐部保護カバーの基台を固定することが可能となって、上階から下階に分けて全ての配管作業を順次行うことができて、配管作業の能率が高まる。
【００３５】
本発明に係る分岐部保護カバー装置によれば、壁貫通孔の外壁面側に嵌め込まれる鍔付リングの鍔部との干渉を回避して建物の外壁面に基台を設置できる。
【図面の簡単な説明】
【図１】  本発明に係る分岐部保護カバーＣ0 を用いてサイズの異なる二本の直状保護カバーＣ1,Ｃ2 を接続した状態の斜視図である。
【図２】  分岐部保護カバーＣ0 を構成する基台Ｖ0 と蓋体Ｌ0 とを表面側から見た分解斜視図である。
【図３】  同じく裏面側から見た分解斜視図である。
【図４】  基台Ｖ0 の横断面図である。
【図５】  同じく中央縦断面図である。
【図６】  一階部分の壁貫通孔３より上方の直状保護カバーＣ2 の基台Ｖ2 を外壁面Ｗａに設置した状態の斜視図である。
【図７】  一階部分の壁貫通孔３よりも上方に設置された直状保護カバーＣ2 の基台Ｖ2 に対して分岐部保護カバーＣ0 の基台Ｖ0 を接続して設置した状態の斜視図である。
【図８】  一階部分の壁貫通孔３の部分に設置された分岐部保護カバーＣ0 の基台Ｖ0 の下方に、一階部分の直状保護カバーＣ1 の基台Ｖ1 を接続して設置した状態の斜視図である。
【図９】  一階及び二階の各部分の直状保護カバーＣ1,Ｃ2 の基台Ｖ1,Ｖ2 に蓋体Ｌ1,Ｌ2 を覆蓋された状態の斜視図である。
【図１０】  一階及び二階の各部分の直状保護カバーＣ1,Ｃ2 を分岐部接続カバーＣ0 及びソケットカバーＳによって接続した状態の斜視図である。
【図１１】  同様の状態の平面断面図（図１２のＸ−Ｘ線断面図）である。
【図１２】  同様の状態の横断面図である。
【図１３】  同様の状態の中央縦断面図である。
【図１４】  別の配管例の中央縦断面図である。
【符号の説明】
Ｃ0 ：分岐部保護カバー
Ｃ1 〜Ｃ3 ：直状保護カバー
Ｌ0 ：分岐部保護カバーの蓋体
Ｐ：エアコン冷媒管
Ｑ：配管方向（二本の直状保護カバーＣ1,Ｃ2 が同一直線上に設置される直線方向）
Ｓ：ソケットカバー
Ｖ0 ：分岐部保護カバーの基台
Ｗ：外壁
Ｗａ：外壁面
３：壁貫通孔
４：鍔付リング
４ａ：鍔付リングの鍔部
１１：底板部
１３，１４：位置決め突片
１８，１９：位置決め突片と外壁面との空間部
２３：管挿通孔
２４：空間部
３６：ソケットカバーの嵌合凹部（取付部）
【図１】
0003795336.tif 000002
【図２】
0003795336.tif 000003
【図３】
0003795336.tif 000004
【図４】
0003795336.tif 000005
【図５】
0003795336.tif 000006
【図６】
0003795336.tif 000007
【図７】
0003795336.tif 000008
【図８】
0003795336.tif 000009
【図９】
0003795336.tif 000010
【図１０】
0003795336.tif 000011
【図１１】
0003795336.tif 000012
【図１２】
0003795336.tif 000013
【図１３】
0003795336.tif 000014
【図１４】
0003795336.tif 000015